(57)【要約】【課題】  頭皮表面から脳部位までより浅い皮膚血流等の頭皮部位による不要な受光量情報を除去した脳血流等の脳部位による受光量情報を得ることができるホルダー及びそれを用いた光計測装置を提供すること。【解決手段】  送光プローブ１２と受光プローブ１３とが交互に第一設定距離で並べられるように保持して、頭皮表面に装着されるホルダー１１であって、送光プローブ１２又は受光プローブ１３を１個ずつ保持する第一ソケット部３２ａと、少なくとも２個の第一ソケット部３２ａを第一設定距離で連結する連結部３２ｂとを有するホルダー部品３２を備え、連結部３２ｂには、第一ソケット部３２ａから第一設定距離より短い第二設定距離の位置に、送光プローブ１２又は受光プローブ１１を保持する第二ソケット部３２ｃが形成されることを特徴とする。【選択図】図３
2010104649.tif 000002
【特許請求の範囲】
【請求項１】
光を照射する送光プローブと、光を受光する受光プローブとが交互に第一設定距離で並べられるように保持して、頭皮表面に装着されることにより、当該頭皮表面から所定の深さに位置する脳部位に関する受光量情報を取得するためのホルダーであって、
前記送光プローブ又は受光プローブを１個ずつ保持する第一ソケット部と、少なくとも２個の第一ソケット部を第一設定距離で連結する連結部とを有するホルダー部品を備え、
前記連結部には、前記第一ソケット部から第一設定距離より短い第二設定距離の位置に、前記送光プローブ又は受光プローブを保持する第二ソケット部が形成されており、
前記送光プローブから当該送光プローブと第一設定距離で隣接する受光プローブへの光の第一受光量情報を取得するとともに、
前記送光プローブから当該送光プローブと第二設定距離で隣接する受光プローブへの光の第二受光量情報を取得することにより、前記頭皮表面から脳部位までより浅い頭皮部位に関する受光量情報を取得することを特徴とするホルダー。
【請求項２】
前記第一設定距離は、２５ｍｍ以上３５ｍｍ以下であり、
前記第二設定距離は、５ｍｍ以上２０ｍｍ以下であることを特徴とする請求項１に記載のホルダー。
【請求項３】
前記ホルダー部品は、一の字形状であり、かつ、両端に第一ソケット部を有し、かつ、
前記頭皮表面の当接面内で第一ソケット部を回転軸として他のホルダー部品と回動可能とされるとともに、前記頭皮表面の法線方向で連結部により可撓性を有することを特徴とする請求項１又は請求項２に記載のホルダー。
【請求項４】
請求項１〜３のいずれかに記載のホルダーと、
複数の送光プローブ及び複数の受光プローブと、
前記送光プローブ及び受光プローブに対して光の送受光を制御する制御部とを備える光計測装置であって、
前記制御部は、前記送光プローブから当該送光プローブと第一設定距離で隣接する受光プローブへの光の第一受光量情報を取得するとともに、
前記送光プローブから当該送光プローブと第二設定距離で隣接する受光プローブへの光の第二受光量情報を取得し、
前記第二受光量情報を用いて、前記頭皮表面から脳部位までより浅い頭皮部位による受光量情報を第一受光量情報から除去することにより、前記脳部位の受光量情報を取得することを特徴とする光計測装置。
【発明の詳細な説明】
【技術分野】
【０００１】
本発明は、ホルダー及びそれを用いた光計測装置に関し、さらに詳細には非侵襲で脳活動を測定するためのホルダー及びそれを用いた光計測装置に関する。
【背景技術】
【０００２】
ヘモグロビンは、血液中で酸素を運搬する役割を果たしている。血液中に含まれるヘモグロビン濃度は、血管の拡張・収縮に応じて増減するため、ヘモグロビン濃度を測定することによって、血管の拡張・収縮を検出することが知られている。
そこで、ヘモグロビン濃度が生体内部の酸素代謝機能に対応することを利用することにより、光を用いて生体内部を簡便に非侵襲で計測する生体計測方法が知られている。ヘモグロビン濃度は、可視光から近赤外領域までの波長の光を生体に照射することにより、生体を透過して得られる光の量から求められる。
【０００３】
さらに、ヘモグロビンは、酸素と結合してオキシヘモグロビンとなり、一方、酸素と離れてデオキシヘモグロビンとなる。脳内では、血流再配分作用によって活性化している部位には酸素供給が行われ、酸素と結合したオキシヘモグロビン濃度が増加することも知られている。よって、オキシヘモグロビン濃度を計測することにより、脳活動の観察に応用することができる。オキシヘモグロビンとデオキシヘモグロビンとは、可視光から近赤外領域にかけて異なる分光吸収スペクトル特性を有しているので、異なる２波長（例えば、７８０ｎｍと８５０ｎｍ）の近赤外光を用いてオキシヘモグロビン濃度とデオキシヘモグロビン濃度とをそれぞれ求めることができる。
【０００４】
そこで、簡便に非侵襲で脳活動を計測するために、送光プローブと受光プローブとを備える光計測装置が開発されている。光計測装置では、被検体の頭皮表面上に配置した送光プローブにより、脳に近赤外光を照射するとともに、頭皮表面上に配置した受光プローブにより、脳から放出された近赤外光の光量を検出する。このようにして送光プローブと受光プローブとを用いることにより、脳の測定部位のオキシヘモグロビン濃度、デオキシヘモグロビン濃度、さらにはこれらから算出される全ヘモグロビン濃度を求める。
【０００５】
ここで、送光プローブと受光プローブとのプローブ間隔（チャンネル）と、脳の測定部位との関係について説明する。図８（ａ）は、一対の送光プローブ及び受光プローブと、脳の測定部位との関係を示す断面図であり、図８（ｂ）は、図８（ａ）の平面図である。
送光プローブ１２が被検体の頭皮表面の送光点Ｔに押し当てられるとともに、受光プローブ１３が被検体の頭皮表面の受光点Ｒに押し当てられる。そして、送光プローブ１２から光を照射させるとともに、受光プローブ１３に頭皮表面から放出される光を検出させる。このとき、光は、頭皮表面の送光点Ｔから照射された光のうちで、バナナ形状（測定領域）を通過した光が、頭皮表面の受光点Ｒに到達する。これにより、測定領域の中でも、特に送光点Ｔと受光点Ｒとを被検体の頭皮表面に沿って最短距離で結んだ線Ｌの中点Ｍから、送光点Ｔと受光点Ｒとを被検体の頭皮表面に沿って最短距離で結んだ線の距離の半分の深さＬ／２である被検体の部位Ｓの受光量情報（オキシヘモグロビン濃度、デオキシヘモグロビン濃度、さらにはこれらから算出される全ヘモグロビン濃度）が得られる。
【０００６】
また、運動や感覚や思考等の脳機能に関する脳の複数箇所の測定部位のヘモグロビン濃度等を計測することにより、脳機能診断や循環器系障害診断等の医療分野に適用される光計測装置が開発されている。
このような光計測装置では、例えば、複数の送光プローブと、複数の受光プローブとを有する送受光部が利用されている（例えば、特許文献１参照）。
送受光部においては、複数の送光プローブと、複数の受光プローブとを所定の配列で被検体の頭皮表面に密着させるために、ホルダーが使用される。ホルダーには貫通孔が複数個設けられ、送光プローブと受光プローブとがそれらの貫通孔に挿入されることによって、チャンネルが一定となり、頭皮表面から特定の深度となる複数箇所の脳部位から受光量情報が得られる。
また、頭皮表面の曲率は、男女差、年齢差、個人差によって異なるために、様々な曲率を有する面に対して密着することができるホルダーも開発されている（例えば、特許文献２参照）。
【０００７】
図９は、上述したような送受光部における１３個の送光プローブと１２個の受光プローブとの位置関係を示す平面図である。送光プローブと受光プローブとが行方向及び列方向に交互となるように正方格子状に配置されている。送受光部７０は、頭皮から脳までの距離が考慮されて設計されているため、被検体が成人であれば、送光プローブ１２と受光プローブ１３との間の距離（チャンネル）を３０ｍｍとしたものが用いられている。チャンネルが３０ｍｍである場合には、上述したようにチャンネルの中点からの深度１５ｍｍ〜２０ｍｍの受光量情報が得られると考えられている。すなわち、頭皮表面から深度１５ｍｍ〜２０ｍｍの位置は脳表部位にほぼ対応し、脳活動に関した受光量情報が得られる。
なお、送光プローブ１２ａ〜１２ｍから照射された光は、隣接する受光プローブ１３ａ〜１３ｌ以外の離れた受光プローブ１３ａ〜１３ｌでも検出されるが、ここでは説明を簡単にするため、隣接する受光プローブ１３ａ〜１３ｌのみで検出されることとする。よって、合計４０箇所の脳表部位からの受光量情報が得られる。
そして、合計４０箇所の脳表部位からの受光量情報の時間的な変化から脳活動を計測することにより、得られた脳活動データ（賦活データともいう）に平均化処理等の画像処理、マッピングを実行して画像化することも行われている。
【特許文献１】特開２００１−３３７０３３号公報
【特許文献２】特開２００７−１１１４０７号公報
【発明の開示】
【発明が解決しようとする課題】
【０００８】
しかしながら、送光点Ｔと受光点Ｒとを被検体の頭皮表面に沿って最短距離で結んだ線の距離（チャンネル）を３０ｍｍとなるように配置しても、実際には、被検体の脳表部位にある脳血流による受光量情報だけでなく、送光点Ｔ近傍や受光点Ｒ近傍の被検体の頭皮部位にある皮膚血流による受光量情報も含まれるという問題があった。
そこで、本発明は、様々な曲率を有する面に対して密着することができ、さらに頭皮表面から脳部位までより浅い皮膚血流等の頭皮部位による不要な受光量情報を除去した脳血流等の脳部位による受光量情報を得ることができるホルダー及びそれを用いた光計測装置を提供することを目的とする。
【課題を解決するための手段】
【０００９】
上記課題を解決するためになされた本発明のホルダーは、光を照射する送光プローブと、光を受光する受光プローブとが交互に第一設定距離で並べられるように保持して、頭皮表面に装着されることにより、当該頭皮表面から所定の深さに位置する脳部位に関する受光量情報を取得するためのホルダーであって、前記送光プローブ又は受光プローブを１個ずつ保持する第一ソケット部と、少なくとも２個の第一ソケット部を第一設定距離で連結する連結部とを有するホルダー部品を備え、前記連結部には、前記第一ソケット部から第一設定距離より短い第二設定距離の位置に、前記送光プローブ又は受光プローブを保持する第二ソケット部が形成されており、前記送光プローブから当該送光プローブと第一設定距離で隣接する受光プローブへの光の第一受光量情報を取得するとともに、前記送光プローブから当該送光プローブと第二設定距離で隣接する受光プローブへの光の第二受光量情報を取得することにより、前記頭皮表面から脳部位までより浅い頭皮部位に関する受光量情報を取得するようにしている。
【００１０】
本発明のホルダーによれば、送光プローブと受光プローブとが交互に第一ソケット部で保持されることにより、第一ソケット部で保持された送光プローブと、第一ソケット部で保持された受光プローブとが交互に第一設定距離で並べられるようになっている。
また、送光プローブ若しくは受光プローブが第二ソケット部で保持されることにより、第二ソケット部で保持された送光プローブ若しくは受光プローブと、第一ソケット部で保持された受光プローブ若しくは送光プローブとが第二設定距離で配置されるようになっている。
これにより、本発明のホルダーでは、第一設定距離に形成された送光プローブと受光プローブとを用いて、第一受光量情報を取得するとともに、第二設定距離に形成された送光プローブと受光プローブとを用いて、第二受光量情報を取得することができる。つまり、第二設定距離に形成された送光プローブと受光プローブとは、脳部位（例えば、脳血流等）による受光量情報を計測するのではなく、脳部位より浅い頭皮部位にある皮膚血流等による受光量情報を計測することになる。
その結果、本発明のホルダーでは、第二受光量情報を用いて、脳部位より浅い頭皮部位（例えば、皮膚血流等）による受光量情報を第一受光量情報から除去することにより、脳部位（例えば、脳血流等）の受光量情報を取得することができる。このとき、例えば、独立成分分析等の数学的信号分離法を用いて、脳部位と頭皮部位との信号（情報成分）を分離し、脳部位の情報成分のみを抽出する。
【発明の効果】
【００１１】
以上のように、本発明のホルダーによれば、様々な曲率を有する面に対して密着することができ、さらに頭皮表面から脳部位までより浅い皮膚血流等の頭皮部位による不要な受光量情報を除去した脳血流等の脳部位による受光量情報を得ることができる。したがって、脳内各部等の血流の経時変化や酸素供給の経時変化を正確に観察することができる。
【００１２】
（その他の課題を解決するための手段及び効果）
また、本発明のホルダーは、前記第一設定距離は、２５ｍｍ以上３５ｍｍ以下であり、
前記第二設定距離は、５ｍｍ以上２０ｍｍ以下であるようにしてもよい。
また、本発明のホルダーは、前記ホルダー部品は、一の字形状であり、かつ、両端に第一ソケット部を有し、かつ、前記頭皮表面の当接面内で第一ソケット部を回転軸として他のホルダー部品と回動可能とされるとともに、前記頭皮表面の法線方向で連結部により可撓性を有するようにしてもよい。
【００１３】
そして、本発明の光計測装置は、上述したようなホルダーと、複数の送光プローブ及び複数の受光プローブと、前記送光プローブ及び受光プローブに対して光の送受光を制御する制御部とを備える光計測装置であって、前記制御部は、前記送光プローブから当該送光プローブと第一設定距離で隣接する受光プローブへの光の第一受光量情報を取得するとともに、前記送光プローブから当該送光プローブと第二設定距離で隣接する受光プローブへの光の第二受光量情報を取得し、前記第二受光量情報を用いて、前記頭皮表面から脳部位までより浅い頭皮部位による受光量情報を第一受光量情報から除去することにより、前記脳部位の受光量情報を取得するようにしている。
【発明を実施するための最良の形態】
【００１４】
以下、本発明の実施形態について図面を用いて説明する。なお、本発明は、以下の実施形態に限定されるものではなく、本発明の趣旨を逸脱しない範囲で種々の態様が含まれることはいうまでもない。
【００１５】
図１は、本発明の一実施形態である光計測装置の構成を示すブロック図である。また、図２は、送受光部１０における１３個の送光プローブ１２（１２ａ〜１２ｉ）と２２個の受光プローブ１３（１３ａ〜１３ｖ）との位置関係を示す平面図である。
光計測装置１は、ホルダー１１と光を出射する１３個の送光プローブ１２と光の量を検出する２２個の受光プローブ１３と装着具１４とからなる送受光部１０と、送光プローブ１２と導光路（図示せず）により接続される発光部２と、受光プローブ１３と導光路（図示せず）により接続される光検出部３と、光計測装置１全体の制御を実行する制御部（コンピュータ）２０とにより構成される。
【００１６】
ホルダー１１は、３０個の第一ホルダー部品３１と、１０個の第二ホルダー部品３２と、２５個の第一ソケット３３と、１０個の第二ソケット３４とからなる。
第一ホルダー部品３１は、図３に示すように、一の字形状である。そして、第一ホルダー部品３１は、両端に円形状の第一ソケット部３１ａと、両端の第一ソケット部３１ａをチャンネル長さ（第一設定距離）で連結する連結部３１ｂとを有する。
各第一ソケット部３１ａの中央には、第一ソケット３３を嵌めこむための円形状（例えば、直径８ｍｍ）の第一貫通孔がそれぞれ開けられている。また、連結部３１ｂは、幅１０ｍｍ、厚さ０．１ｍｍであり、かつ、第一貫通孔の中心と第一貫通孔の中心との間の距離がチャンネル長さ３０ｍｍとなるように形成されており、厚さ方向にだけ可撓性を有する。
【００１７】
第二ホルダー部品３２は、図３に示すように、一の字形状である。そして、第二ホルダー部品３２は、両端に円形状の第一ソケット部３２ａと、両端の第一ソケット部３２ａをチャンネル長さ（第一設定距離）で連結する連結部３２ｂとを有する。
連結部３２ｂには、第二ソケット部３２ｃである第二ソケット３４を嵌めこむための円形状（例えば、直径３ｍｍ）の第二貫通孔が開けられている。一の第一貫通孔の中心と第二貫通孔の中心との間の距離は、チャンネル長さ（第二設定距離）１０ｍｍとなるように形成されている。なお、第二ホルダー部品３２は、第二貫通孔が開けられている以外は、第一ホルダー部品３１と同様な構造をしている。
上記第一ホルダー部品及び第二ホルダー部品を構成する材質としては、特に限定されるものではないが、例えば、ポリプロピレン、ポリ塩化ビニル、ポリアセタール等が挙げられる。
【００１８】
第一ソケット３３は、図３に示すように、送光プローブ１２又は受光プローブ１３を保持するメス型ソケット３３ｂと、第一ホルダー部品３１に固定するために用いられるナット３３ａとからなる。メス型ソケット３３ｂは、円形状の底部と、円筒形状の本体部とを有し、その内側に送光プローブ１２又は受光プローブ１３が挿入されるとともに、本体部の外側にナット３３ａが螺合されるネジが設けられている。また、ナット３３ａは、円形状であり、その内側にメス型ソケット３３ｂに螺合されるメスネジが設けられている。
第二ソケット３４は、送光プローブ１２又は受光プローブ１３が挿入される貫通孔の直径の大きさ以外は、第一ソケット３３と同様な構造をしている。
上記第一ソケット及び第二ソケットを構成する材質としても、特に限定されるものではないが、例えば、ポリプロピレン、ポリ塩化ビニル、ポリアセタール等が挙げられる。
【００１９】
これにより、図３に示すように、第一ホルダー部品３１の第一ソケット部３１ａと第二ホルダー部品３２の第一ソケット部３２ａとを重ね合わせ、第一貫通孔にメス型ソケット３３ｂの本体部を挿入して、メス型ソケット３３ｂの底部とナット３３ａとで挟み込んで締付けることによって、第一ホルダー部品３１の連結部３１ｂと第二ホルダー部品３２の連結部３２ｂとの間の角度を一定にして固定することができる。また、図４（ａ）に示すように、メス型ソケット３３ｂの底部と、ナット３３ａとの締付けを緩めることによって、第一ホルダー部品３１の連結部３１ｂと第二ホルダー部品３２の連結部３２ｂとの間の角度を変更することができる。よって、変形が加えられた状態で、第一ホルダー部品３１の連結部３１ｂと第二ホルダー部品３２の連結部３２ｂとの間の角度で形成される角度が固定されると、もはや平面には戻れず、その曲率が保持される結果となる。
また、第二貫通孔にメス型ソケット３４ｂの本体部を挿入して、メス型ソケット３４ｂの底部とナット３４ａとで第二ホルダー部品３２の連結部３２ｂを挟み込んで締付けることによって、第二ソケット３４と第二ホルダー部品３２とを固定することができる。
そして、３０個の第一ホルダー部品３１と、１０個の第二ホルダー部品３２と、２５個の第一ソケット３３と、１０個の第二ソケット３４とを用いて組み立てることにより、例えば、図２に示すような網形状のホルダー１１を形成することができることになる。
【００２０】
装着具１４は、図５に示すように、頭部に巻きつける円形状のベルト１４ａと、複数の固着部品１４ｂとを有する。固着部品１４ｂは、一の字形状であり、一端に円形状の接続部と、ベルト１４ａに着脱可能に固着する固着部とを有する。接続部の中央には、第一ソケット３３を嵌めこむための円形状の貫通孔が開けられ、固着部品１４ｂは、ホルダー１１の外周部の第一ソケット３３により連結される。
上記ベルトと固着部品とは、特に限定されるものではないが、例えば、フックとループとからなる面ファスナーで固着されることが好ましい。
【００２１】
送光プローブ１２及び受光プローブ１３は、円柱形状である。送光プローブ１２は、その先端部から光を照射するものであり、一方、受光プローブ１３は、その先端部で放出される光を受光するものである。また、送光プローブ１２は、光ファイバ等の導光路（図示せず）により発光部２に接続され、一方、受光プローブ１３は、光ファイバ等の導光路（図示せず）により光検出部３に接続されている。
これにより、組み立てられた網形状のホルダー１１の第一ソケット３３に、被覆部材１５が外周面に装着された送光プローブ１２と、被覆部材１５が外周面に装着された受光プローブ１３とを行方向と列方向とに交互となるように挿入することによって、図２に示すように、送光プローブ１２と受光プローブ１３とを行方向と列方向とに交互となるように正方格子状に配置された送受光部（ＮＩＲＳ）１０を形成することができる。なお、第一ソケット３３に保持された送光プローブ１２と、第一ソケット３３に保持された受光プローブ１３との間の距離（第一設定距離）は、３０ｍｍである。よって、第一設定距離に形成された送光プローブ１２と受光プローブ１３とは、頭皮表面から深度１５ｍｍ〜２０ｍｍの位置にある脳表部位に関する第一受光量情報が得られることになるが、第一受光量情報は、送光点近傍や受光点近傍の被検体の頭皮部位にある皮膚血流による受光量情報も含んだ情報となる。
【００２２】
また、組み立てられた網形状のホルダー１１の第二ソケット３４に、受光プローブ１３を挿入することによって、図２に示すように、第一ソケット３３に保持された送光プローブ１２と、第二ソケット３４に保持された受光プローブ１３との間の距離（第二設定距離）が、１０ｍｍとなるように形成することができる。よって、第二設定距離に形成された送光プローブ１２と受光プローブ１３とは、頭皮表面から深度５ｍｍ〜７ｍｍの位置にある皮膚血流に関する第二受光量情報が得られることになる。なお、第二設定距離に形成された送光プローブ１２と受光プローブ１３とは、第一設定距離に形成された送光プローブ１２と受光プローブ１３と比較して、頭皮表面の全面ではなく頭皮表面の一部に配置されているが、頭皮部位の皮膚血流は頭部全体に均一であると考えられているので、図２に示すような第二設定距離に形成された送光プローブ１２と受光プローブ１３とで得られた全ての第二受光量情報を用いて、平均化処理を行うことによって、被検体の頭皮部位にある皮膚血流による受光量情報を得る。
【００２３】
発光部２は、コンピュータ２０から入力された駆動信号により１３個の送光プローブ１２ａ〜１２ｉのうちから選択される１個の送光プローブに光を送光する光源であり、例えば、ＬＥＤ（発光ダイオード）やＬＤ（レーザーダイオード）等の発光素子等である。上記光としては、例えば、異なる２波長（例えば、７８０ｎｍと８５０ｎｍ）の近赤外光等が用いられる。なお、互いに光がほとんど干渉しない遠く離れた送光プローブ１２どうしであれば、複数の送光プローブに同時に送光して、測定の能率を高めることもできるが、以下の説明では１つずつ送光するものとして説明する。
光検出部３は、２２個の受光プローブ１３ａ〜１３ｖで受光した近赤外光を個別に検出することにより、２２個の受光信号をコンピュータ２０に出力する検出器であり、例えば、フォトダイオードやフォトトランジスタ等の受光素子、光電子増倍管等である。
【００２４】
コンピュータ２０においては、ＣＰＵ２１を備え、さらに、メモリ２５と、モニタ画面２３ａ等を有する表示装置２３と、入力装置２２であるキーボード２２ａやマウス２２ｂとが連結されている。ＣＰＵ２１が処理する機能をブロック化して説明すると、発光部２及び光検出部３を制御する送受光部制御部４と、受光信号（第一受光量情報）を取得する第一受光量情報取得部４４と、受光信号（第二受光量情報）を取得する第二受光量情報取得部４５と、脳活動受光量情報算出部４６とを有する。また、メモリ２５は、第一受光量情報を記憶する第一受光量情報記憶領域５１と、第二受光量情報を記憶する第二受光量情報記憶領域５２とを有する。
【００２５】
送受光部制御部４は、発光部２に駆動信号を出力する発光制御部４２と、光検出部３からの受光信号（第一受光量情報及び第二受光量情報）を受けることにより受光信号をメモリ２５に記憶させる光検出制御部４３とを有する。
発光制御部４２は、送光プローブ１２に光を送光する駆動信号を発光部２に出力する制御を行う。例えば、まず、送光プローブ１２ａに７８０ｎｍの光を０．１５秒間送光させ、次に、送光プローブ１２ｂに７８０ｎｍの光を０．１５秒間送光させるように、送光プローブ１２ａから送光プローブ１２ｍまで順番に７８０ｎｍの光を送光させる駆動信号を発光部２に出力する。さらに、送光プローブ１２ａから送光プローブ１２ｍまで順番に７８０ｎｍの光を送光させた後には、同様にして送光プローブ１２ａから送光プローブ１２ｍまで順番に８５０ｎｍの光を送光させる駆動信号を発光部２に出力する。
【００２６】
光検出制御部４３は、光検出部３からの受光信号（第一受光量情報）を受けることにより受光信号（第一受光量情報）を第一受光量情報記憶領域５１に記憶させるとともに、受光信号（第二受光量情報）を受けることにより受光信号（第二受光量情報）を第二受光量情報記憶領域５２に記憶させる制御を行う。例えば、送光プローブ１２ａから送光された７８０ｎｍの光を受光プローブ１３ａ〜１３ｌで検出した受光信号（第一受光量情報）を受信すると同時に、受光プローブ１３ｍ〜１３ｖで検出した受光信号（第二受光量情報）を受信し、次に、送光プローブ１２ｂから送光された７８０ｎｍの光を受光プローブ１３ａ〜１３ｌで検出した受光信号（第一受光量情報）を受信すると同時に、受光プローブ１３ｍ〜１３ｖで検出した受光信号（第二受光量情報）を受信するように、１３個の送光プローブ１２ａ〜１２ｍから送光した７８０ｎｍの光を受光プローブ１３ａ〜１３ｖで検出した受光信号を受信する。さらに、同様にして１３個の送光プローブ１２ａ〜１２ｍから送光した８５０ｎｍの光を受光プローブ１３ａ〜１３ｖで検出した受光信号を受信する。
【００２７】
第一受光量情報取得部４４は、送光プローブ１２から、当該送光プローブ１２と第一設定距離で隣接する受光プローブ１３で受光される光の第一受光量情報を取得する制御を行う。
具体的には、第一受光量情報記憶領域５１に記憶された受光信号の中から、送光プローブ１２から、当該送光プローブ１２と第一設定距離で隣接する受光プローブ１３で受光される受光信号を、深さ３０／２ｍｍ（脳表部位）の第一受光量情報として取得する。
第二受光量情報取得部４５は、送光プローブ１２から、当該送光プローブ１２と第二設定距離で隣接する受光プローブ１３で受光される光の第二受光量情報を取得する制御を行う。
具体的には、第二受光量情報記憶領域５２に記憶された受光信号の中から、送光プローブ１２から、当該送光プローブ１２と第二設定距離で隣接する受光プローブ１３で受光される受光信号を、頭皮部位の第二受光量情報として取得する。
【００２８】
脳活動受光量情報算出部４６は、第二受光量情報を用いて、被検体の脳表部位より浅い頭皮部位による受光量情報を第一受光量情報から除去することにより、脳表部位に関する受光量情報を取得して、得られた脳表部位に関する受光量情報に平均化処理等の画像処理、マッピングを実行して画像化する制御を行う。
例えば、得られた１０個の第二受光量情報を平均化処理することで、被検体の頭皮部位による受光量情報を算出する。そして、得られた頭皮部位による受光量情報と、４０個の第一受光量情報とに関して、独立成分分析等の数学的信号分離法を用いて、脳表部位と頭皮部位との信号（情報成分）を分離し、脳表部位の信号（情報成分）のみを抽出する。これにより得られた脳活動データに平均化処理等の画像処理、マッピングを実行して画像化する。
【００２９】
次に、光計測装置１により、脳表部位の脳活動を計測する検査方法（生体計測方法）について説明する。図６は、光計測装置１による検査方法の一例について説明するためのフローチャートである。
まず、ステップＳ１０１の処理において、被検体の頭皮表面に送受光部１０を配置する。
次に、ステップＳ１０２の処理において、発光制御部４２は、送光プローブ１２に光を送光する駆動信号を発光部２に出力する。
次に、ステップＳ１０３の処理において、光検出制御部４３は、光検出部３からの受光信号（第一受光量情報）を受けることにより受光信号（第一受光量情報）を第一受光量情報記憶領域５１に記憶させると同時に、光検出部３からの受光信号（第二受光量情報）を受けることにより受光信号（第二受光量情報）を第二受光量情報記憶領域５２に記憶させる。
【００３０】
次に、ステップＳ１０４の処理において、第一受光量情報取得部４４は、送光プローブ１２から、当該送光プローブ１２と第一設定距離で隣接する受光プローブ１３で受光される光の第一受光量情報を取得する。
次に、ステップＳ１０５の処理において、第二受光量情報取得部４５は、送光プローブ１２から、当該送光プローブ１２と第二設定距離で隣接する受光プローブ１３で受光される光の第二受光量情報を取得する。
次に、ステップＳ１０６の処理において、脳活動受光量情報算出部４６は、第二受光量情報を用いて、被検体の脳表部位より浅い頭皮部位による受光量情報を第一受光量情報から除去することにより、脳表部位に関する受光量情報を取得して、得られた脳表部位に関する受光量情報に平均化処理等の画像処理、マッピングを実行して画像化する。
【００３１】
以上のように、本発明の光計測装置１によれば、被検体の皮膚血流等による影響をほとんど含まない受光量情報を得ることができる。したがって、脳内各部の血流の経時変化や酸素供給の経時変化を正確に検査することができる。
【００３２】
（他の実施形態）
（１）上述した光計測装置１では、１０個の第二ホルダー部品３２を有する送受光部１０を示したが、異なる数、例えば１個の第二ホルダー部品を有する送受光部としてもよい。
（２）上述した光計測装置１では、１３個の送光プローブ１２ａ〜１２ｍと２２個の受光プローブ１３ａ〜１３ｖとを有する送受光部１０を示したが、異なる数、例えば２２個の送光プローブと１３個の受光プローブとを有する送受光部としてもよい。
（３）上述した光計測装置１では、連結部３２ｂには、１個の第二貫通孔が開けられている構成を示したが、複数個の第二貫通孔が開けられているような構成としてもよい（図７参照）。
【産業上の利用可能性】
【００３３】
本発明は、光を用いて非侵襲で生体内部を計測する光計測装置に利用することができる。
【図面の簡単な説明】
【００３４】
【図１】本発明の一実施形態である光計測装置の構成を示すブロック図である。
【図２】送受光部における１３個の送光プローブと２２個の受光プローブとの位置関係を示す平面図である。
【図３】第一ホルダー部品と第二ホルダー部品と第一ソケットと第二ソケットとを示す斜視図である。
【図４】第一ホルダー部品と第二ホルダー部品と第一ソケットと第二ソケットとを示す図である。
【図５】ホルダーと送光プローブと受光プローブとを頭部に装着具により装着した状態を示す図である。
【図６】光計測装置による検査方法の一例について説明するためのフローチャートである。
【図７】送受光部における１３個の送光プローブと１７個の受光プローブとの位置関係の他の一例を示す平面図である。
【図８】一対の送光プローブ及び受光プローブと、脳の測定部位との関係を示す図である。
【図９】送受光部における１３個の送光プローブと１２個の受光プローブとの位置関係を示す平面図である。
【符号の説明】
【００３５】
１：光計測装置
１１：ホルダー
１２：送光プローブ
１３：受光プローブ
２０：コンピュータ（制御部）
３１：第一ホルダー部品
３２：第二ホルダー部品
３２ａ：第一ソケット部
３２ｂ：連結部
３２ｃ：第二ソケット部
Ｔ：送光点
Ｒ：受光点
Ｍ：中点
Ｓ：測定部位
【図１】
2010104649.tif 000003
【図２】
2010104649.tif 000004
【図３】
2010104649.tif 000005
【図４】
2010104649.tif 000006
【図５】
2010104649.tif 000007
【図６】
2010104649.tif 000008
【図７】
2010104649.tif 000009
【図８】
2010104649.tif 000010
【図９】
2010104649.tif 000011